(57)【要約】【課題】様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップなどを提供する。【解決手段】所定幅を有し、そこにデザインが施されたゴム製のリストバンドにぶら下げて利用するアクセサリーであるゴム製のバンドキャップ０１１０であって、リストバンドの幅方向を弾性的に挟持し、又はリストバンドの円周方向を弾性的に挟持してリストバンドを差し込み係止可能な開口０１１３を有するケース状のキャップ本体０１１１と、キャップ本体に設けられるリストバンドに自身をぶら下げるための紐を挿通するための挿通穴０１１２とを有するバンドキャップなどを提供する。【選択図】図１
0003216488.tif 000002
【実用新案登録請求の範囲】
【請求項１】
所定幅を有し、そこにデザインが施されたゴム製のリストバンドにぶら下げて利用するアクセサリーであるゴム製のバンドキャップであって、
リストバンドの幅方向を弾性的に挟持し、又はリストバンドの円周方向を弾性的に挟持してリストバンドを差し込み係止可能な開口を有するケース状のキャップ本体と、
キャップ本体に設けられるリストバンドに自身をぶら下げるための紐を挿通するための挿通穴と、を有するバンドキャップ。
【請求項２】
キャップ本体は、主面を有し、主面には、デザインが施されている請求項１に記載のバンドキャップ。
【請求項３】
キャップ本体は主面に略直交する側面を有し、主面又は側面を底部として平面上に置くことが可能な形状である請求項２に記載のバンドキャップ。
【請求項４】
所定幅を有し、そこにデザインが施されたゴム製のリストバンドと、
前記リストバンドの幅方向を弾性的に挟持し、又はリストバンドの円周方向を弾性的に挟持してリストバンドを差し込み係止可能な開口を有するケース状のキャップ本体と、
キャップ本体に設けられるリストバンドに自身をぶら下げるための紐を挿通するための挿通穴と、を有するバンドキャップと、
前記挿通穴に挿通してリストバンドと、バンドキャップとを連結する紐と、
からなるリストバンドシステム。
【請求項５】
キャップ本体は、主面を有し、主面には、デザインが施されている請求項４に記載のリストバンドシステム。
【請求項６】
キャップ本体は主面に略直交する側面を有し、主面又は側面を底部として平面上に置くことが可能な形状である請求項５に記載のリストバンドシステム。
【請求項７】
前記挿通穴は、キャップ本体に二つ設けられており、前記紐は、前記二つの挿通穴から開口内側に導かれた部分で環状をなしてリストバンドの輪の内側をとおり、前記挿通穴から外側に導かれた部分で環状をなして、この部分を引っ張ることにより、リストバンド側の紐が引かれて挿通穴から外側に導かれた部分の環状部分が広がり、突起等に係止できるように構成されている請求項４から請求項６のいずれか一に記載のリストバンドシステム。
【請求項８】
請求項４から請求項７のいずれか一に記載の紐とバンドキャップの組合せ構造体。
【考案の詳細な説明】
【技術分野】
【０００１】
本考案は、リストバンドにぶら下げて利用するアクセサリーであるバンドキャップに関する。また、本考案は、リストバンドと、バンドキャップと、これらを連結する紐とからなるリストバンドシステムに関する。さらに、本考案は、バンドキャップと、これをリストバンドに連結するための紐とからなる紐とバンドキャップの組合せ構造体に関する。
【背景技術】
【０００２】
バンドキャップは、リストバンドにぶら下げて使用されるアクセサリーであるところ、その使用態様にはいくつかのものが考えられる。一つの使用態様としては、リストバンドを手首にはめた状態で当該リストバンドにバンドキャップをぶら下げて使用するというリストバンド本来の用途に着目した使用態様が考えられるが、このほか別の態様として、バンドキャップを例えばカバンの取っ手などに紐などを介して取り付けるとともに、当該バンドキャップにリストバンドをぶら下げて、あるいは当該バンドキャップにリストバンドを挿入することが可能な空間（以下「挿入空間」という。）を設けて、ここにリストバンドを差し込んで使用するという態様（以下、「第二の使用態様」ということがある。）も考えられる。さらに、バンドキャプをリストバンドに差し込んだ状態で棚や卓上などに置いて飾り、これを見て楽しむという使用態様（以下、「第三の使用態様」ということがある。）も考えられる。つまり、第二、第三の使用形態においては、リストバンドをバンドキャップの挿入空間に差し込んで使用することが想定されている。
【０００３】
特許文献１には、リストバンドなどの帯状部材を保持するための金属製の帯状部材保持具が開示されている。この帯状部材保持具は、例えば、両側に側壁を有する挿入空間を有し、両側壁には一対のバー状の挿入部が備えられている。そして、帯状部材を折り曲げて上記挿入空間内に差し込んだ状態で、挿入部を当該折曲げ部分の内側（即ち、帯状部材の輪っかの中）に挿入して、帯状部材を外側から挟持することができるように構成されている（特許文献１参照）。
【先行技術文献】
【特許文献】
【０００４】
【特許文献１】実用新案登録第３２１０６９５号公報
【考案の概要】
【考案が解決しようとする課題】
【０００５】
特許文献１に記載されているバンドキャップ（帯状部材保持具）では、専ら固い金属製のものが想定されている。このようなバンドキャップは、上述のリストバンドをバンドキャップの挿入空間に差し込んで使用する態様で用いようとした場合、以下のような問題があると考えられる。
【０００６】
特許文献１の図３などに示されているような従来のバンドキャップにおいては、当該バンドキャップの本体に対向する側壁部の内面から内側に向かって突出する挿入部が一対設けられているだけであるので、挿入部に引っ掛けて保持することができるリストバンドの本数は１本に限られている。しかし、最近、一つのバンドキャップに多数のリストバンドを差し込んで使用することへのニーズが高まっている。例えば、同一のアーティストがコンサートを開催するたびに毎回異なるデザインのリストバンドを販売するのに応じ、当該アーティストのファンが、コンサート当日にコンサート会場で購入したリストバンドを手首にはめるとともに、過去のコンサートに行った都度に購入した多数のリストバンドを一つのバンドキャップにまとめて紐でぶら下げたり直接差し込んだりしてカバンなどに取り付けて持ち歩くことで熱心なファンであることをアピールしたいと考える者が増えていると言われている。この場合、上述のような従来のバンドキャップでは多数のリストバンドを差し込んで保持することはできない。
【０００７】
この要請に応えるため、例えば従来のバンドキャップに挿入部を複数対設けることで複数本のリストバンドの保持できるようにするということも想定できないわけではない。しかし、従来のバンドキャップは、専ら金属製のものが想定されており、挿入空間の寸法・容積が固定されているため、挿入されるリストバンドの本数の多寡に応じて常にリストバンドをぴったりと保持することは困難である。即ち、挿入空間の寸法・容積を小さくすれば多数のリストバンドを挿入することが困難となる。一方、挿入空間の寸法・容積を大きくすると、リストバンドを挿入部に引っ掛けるだけの係止方法であることから、リストバンドの本数が少ないときにはリストバンドが脱落しやすいいう問題がある。なお、少数のリストバンドを差し込むことだけが可能なバンドキャップを多数用意して分散して保持するという方法もあり得るが、これにはカバンの取っ手などに一度に取り付けることが困難であったり見栄えが悪くなったりするという問題がある。
【０００８】
また、そもそもの問題として、従来のような挿入空間の寸法が固定されたバンドキャップでは、挿入空間の寸法（特に側壁間の幅）がリストバンドの幅よりも短ければ、リストバンドを挿入空間に差し込むこと自体ができないという問題がある。
【０００９】
次に、第三の使用態様においても、第二の使用態様と同様に一つのバンドキャップに多数のリストバンドを取り付けて使用するという形態が考えられるが、従来のバンドキャップでは、第二の使用形態について上述したところと同様の理由により、バンドキャップの挿入空間に多数のリストバンドを差し込んで保持することができないという問題がある。
【００１０】
さらに、第三の使用形態においては、バンドキャップにリストバンドを取り付ける向きを変えることで異なる見え方を楽しむという使用態様も考えられる。あるいは、リストバンドを取り付ける向きを変えたバンドキャップを混在させたものを同時に複数個並べて見て楽しむという態様も考えられる。
【００１１】
例えば、バンドキャップの主面にデザインを施し、バンドキャップの主面が上向きになるように置く場合において、リストバンドの主面がバンドキャップの主面と同じく上向きになるように取り付けるか、それともリストバンドの主面がバンドキャップの主面と直交する向き、即ち横向きになるように取り付けるかを選択することで（あるいは両者を組み合わせてもよい）、異なる見え方を楽しむという使用形態が考えられる。なお、ここで「主面」とは、キャップ本体の美感を最も良く表している中心となる面をいう。
【００１２】
なお、対向する側壁に設けられる一対の挿入部を利用してリストバンドを挟持する構造の従来のバンドキャップでは、バンドキャップにリストバンドを取り付ける向きを変えることは困難であるが、例えば上記挿入部と直交する方向にももう一対の挿入部を設けるなどすれば、従来のバンドキャップでもリストバンドを取り付ける向きを変えることができる構造にすること自体は可能であると考えられる。
【００１３】
しかし、その場合でもリストバンドを取り付ける向きを変えることができない場合が考えられる。なぜなら、挿入空間の寸法が固定されているため、例えば、挿入空間の幅はリストバンドの幅に足りているが、高さが足りないために向きを変えることができないといった具合に、差し込み可能なリストバンドの寸法が挿入空間の固定された寸法によって規制されてしまうからである。
【００１４】
一方、主面の幅が挿入空間の寸法の短い方にも幅方向に挿入できるような幅の狭いリストバンドを用いれば、向きを変えて差し込むことができるものの、寸法が余ってしまい、置いている間にリストバンドの位置がずれたり脱落したりしてしまうおそれがあるという問題が生じる。
【００１５】
以上に見たような様々な使用態様に適切に対応するためには、バンドキャップは、リストバンドが一本の場合でも多数の場合でも、また、リストバンドの挿入の向きを変化させた場合でも、常にほぼぴったりとした状態で保持することで、脱落しにくく、また見栄えの良い状態で保持することができるような柔軟な構造を有していることが望ましいとえる。しかし、従来のような金属製などで挿入空間の形状、容積が固定されており、また挿入部にリストバンドを引っ掛けて係止するだけの構造のバンドキャプでは、上述のような様々な使用態様に適切に対応することが困難であった。
【００１６】
本考案は、上述のような問題点に鑑みたものである。即ち、本考案が解決すべき課題は、様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップを提供することにある。また、当該バンドキャップとリストバンドと紐とからなるリストバンドシステムや、当該バンドキャップと紐とからなる組合せ構造体を提供することにある。
【課題を解決するための手段】
【００１７】
以上の課題を解決するため、本考案のうち、第一の考案は、所定幅を有し、そこにデザインが施されたゴム製のリストバンドにぶら下げて利用するアクセサリーであるゴム製のバンドキャップであって、リストバンドの幅方向を弾性的に挟持し、又はリストバンドの円周方向を弾性的に挟持してリストバンドを差し込み係止可能な開口を有するケース状のキャップ本体と、キャップ本体に設けられるリストバンドに自身をぶら下げるための紐を挿通するための挿通穴とを有するバンドキャップを提供する。
【００１８】
また、第二の考案は、第一の考案を基礎として、キャップ本体は、主面を有し、主面には、デザインが施されているバンドキャップを提供する。
【００１９】
また、第三の考案は、第二の考案を基礎として、キャップ本体は主面に略直交する側面を有し、主面又は側面を底部として平面上に置くことが可能な形状であるバンドキャップを提供する。
【００２０】
また、第四の考案は、所定幅を有し、そこにデザインが施されたゴム製のリストバンドと、前記リストバンドの幅方向を弾性的に挟持し、又はリストバンドの円周方向を弾性的に挟持してリストバンドを差し込み係止可能な開口を有するケース状のキャップ本体と、キャップ本体に設けられるリストバンドに自身をぶら下げるための紐を挿通するための挿通穴とを有するバンドキャップと、前記挿通穴に挿通してリストバンドと、バンドキャップとを連結する紐とからなるリストバンドシステムを提供する。
【００２１】
また、第五の考案は、第四の考案を基礎として、キャップ本体は、主面を有し、主面には、デザインが施されているリストバンドシステムを提供する。
【００２２】
また、第六の考案は、第五の考案を基礎として、キャップ本体は主面に略直交する側面を有し、主面又は側面を底部として平面上に置くことが可能な形状であるリストバンドシステムを提供する。
【００２３】
また、第七の考案は、前記挿通穴は、キャップ本体に二つ設けられており、前記紐は、前記二つの挿通穴から開口内側に導かれた部分で環状をなしてリストバンドの輪の内側をとおり、前記挿通穴から外側に導かれた部分で環状をなして、この部分を引っ張ることにより、リストバンド側の紐が引かれて挿通穴から外側に導かれた部分の環状部分が広がり、突起等に係止できるように構成されている第四から第六のいずれか一の考案に係るリストバンドシステムを提供する。
【００２４】
また、第八の考案は、第四から第七のいずれか一の考案に係る紐とバンドキャップの組合せ構造体を提供する。
【考案の効果】
【００２５】
本考案によれば、様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップ、当該バンドキャップとリストバンドと紐とからなるリストバンドシステムや、当該バンドキャップと紐とからなる組合せ構造体を提供することが可能となる。
【００２６】
具体的には、当該バンドキャップが弾性素材であるゴム製であり、リストバンドを弾性的に保持することができることで、一つのバンドキャップに差し込まれるリストバンドの数が多数であって、差し込まれるリストバンドの部分の寸法・容積が挿入前のバンドキャップの挿入空間の寸法・容積をある程度上回っていても、これを保持することができ、しかも、リストバンドの数にかかわらず常にほぼぴったりとした状態で保持することが可能となる。さらに、より好適に構成された本考案によれば、バンドキャップの主面と側面に異なる色や模様を配するなどにより主面と側面のデザインを異なるものとした上で、バンドキャップの主たる観察面が主面となるように取り付けるか、側面となるように取り付けるかを選択できる構造とすることで、一つのリストバンドであっても異なるデザインを楽しむことが可能となる。
【図面の簡単な説明】
【００２７】
【図１】実施例１のバンドキャップの構成の一例を示す図
【図２】実施例１のキャップ本体の開口の構成の一例を示す図
【図３】キャップ本体がリストバンドを弾性的に挟持する構成について説明する図
【図４】キャップ本体がリストバンドを弾性的に挟持する構成について説明する図
【図５】キャップ本体の開口にリストバンドが差し込まれた状態の一例を示す図
【図６】実施例２のバンドキャップの構成の一例を示す図
【図７】実施例３のバンドキャップの構成の一例を示す図
【図８】実施例４のリストバンドシステムの構成の一例を示す図
【符号の説明】
【００２８】
０１１０  バンドキャップ
０１１１  キャップ本体
０１１２  挿通穴
０１１３  開口
０２１４  側壁
０３３０  リストバンド
０６１６  主面
０６１７  デザイン
０７１８ａ〜ｃ  側面
０８２０  紐
【考案を実施するための形態】
【００２９】
以下に本考案の実施例を説明する。実施例と請求項の相互の関係は以下のとおりである。実施例１は主に請求項１などに関し、実施例２は主に請求項２などに関し、実施例３は主に請求項３などに関し、実施例４は主に請求項４、請求項５、請求項６などに関し、実施例５は主に請求項７などに関し、実施例６は主に請求項８などに関する。なお、本考案はこれらの実施例に何ら限定されるものではなく、その要旨を逸脱しない範囲において、種々なる態様で実施しうる。
【実施例１】
【００３０】
＜概要＞
本実施例のバンドキャップは、ゴム製であって開口を有するケース状のキャップ本体と、当該キャップ本体に設けられる挿通穴とを有するものである。その特徴は、当該開口がリストバンドの幅方向又は円周方向を弾性的に挟持してリストバンドを差し込み係止可能になっていることにある。
【００３１】
＜構成＞
（全般）
図１に本実施例のバンドキャップの構成の一例を示す。当該バンドキャップ０１１０は、リストバントにぶら下げて利用するアクセサリーであって、ゴム製であり、キャップ本体０１１１を有する。なお、本考案に係るリストバンドは、所定幅を有し、そこにデザインが施されたゴム製のものである。
【００３２】
キャップ本体には、リストバンドにキャップ本体自身をぶら下げるための紐を挿通するための穴である挿通穴０１１２が設けられている（本図には現れないが、挿通穴はキャップ本体の反対側の側面にも設けられている）。紐の材料に限定はなく、布のほか、紙、ゴム、樹脂、金属などが広く含まれる。また、紐の形状についても限定はなく、一本のつながった繊維やこれを複数本撚り合わせたもののほか、鎖状のものなどであってもよい。
【００３３】
バンドキャップの形状や寸法にも特に限定はない。ただし、かばんの取っ手に紐を介して取り付けるとか、棚や卓上に置いて見て楽しむといった用途に照らし、見た目が美しくコンパクトな形状・寸法のものが好まれ、例えば、平面形状が略三角形状であり、一辺（図１にｌ１で示す）及び高さ（同じくｌ２で示す）が２５〜７５ミリメートル程度、厚み（同じくｈで示す）が３〜１０ミリメートル程度のものが用いられる。
【００３４】
（キャップ本体）
キャップ本体は、ゴム製である。本発明におけるゴムには、天然ゴム、合成ゴム及びこれらの混合物が含まれる。合成ゴムには、シリコーンゴム、イソプレンゴム、スチレン・ブタジエンゴム、アクリルゴム、ウレタンゴムなどが含まれる。なかでも、シリコーンゴムは、耐熱性・耐寒性に優れ、また、着色性が良いため塗料などでデザインを施すことが容易であり、手触り感もよいことから、本考案におけるキャップ本体の素材として好適なものである。
【００３５】
キャップ本体は、開口０１１３を有する。当該開口は、リストバンドの幅方向を弾性的に挟持し、又はリストバンドの円周方向を弾性的に挟持してリストバンドを差し込み係止可能にするためのものである。つまり、背景技術及び考案が解決すべき課題の項で述べた「挿入空間」に相当する空間を形成するものである。ここで、リストバンドの「幅方向」を挟持するとは、リストバンドの所定幅の主面を左右両側面側から挟み付けて保持することをいい、「円周方向」を挟持するとは、リストバンドの輪っかを押しつぶした状態で主面を上下両面側から挟み付けて保持することをいう。開口の寸法は、例えば、キャップ本体が前述のような平面形状が略三角形状であり、一辺及び高さが２５〜７５ミリメートル程度、厚みが３〜１０ミリメートル程度のものである場合、幅１５〜６５ミリメートル程度、高さ２〜９ミリメートル程度であるものが考えられる。
【００３６】
図２は、本実施例のキャップ本体の開口の構成の一例を示す図であって、図１のＸ−Ｘ線断面図である。本図に示すように、当該開口０２１３の両側面には側壁０２１４が形成され、差し込まれたリストバンドをこの両側壁によって挟持することが可能になっている。また、図示は省略するが、開口の上下にも壁が形成され、この上下両壁によって差し込まれたリストバンドを挟持することも可能になっている。開口は、リストバンドがここに差し込まれた状態でこれを弾性的に挟持して当該リストバンドを係止するための空間を含み、当該空間はこれに必要な寸法・容積を有する。
【００３７】
ここで、当該開口の特徴は、リストバンドを弾性的に挟持できるようにした点にあり、このため、リストバンドを差し込む前の開口の寸法・容積が差し込まれる部分のリストバンドの寸法・容積を多少下回っていてもよい。即ち、キャップ本体を弾性素材であるゴム製とすることで、差し込み前の開口の寸法・容積よりも開口内に差し込まれるリストバンドの部分の寸法・容積の方が多少大きくても、開口が広がることで、リストバンドを開口に差し込むことができる構造になっている。これは、挿入空間の寸法・容積が固定されていた従来のバンドキャップにはない特徴である。
【００３８】
図３は、キャップ本体がリストバンドを弾性的に挟持する構成について説明する図であって、このうち（ａ）は、キャップ本体０３１１が、自身の開口０３１３に差し込まれたリストバンド０３３０の円周方向を弾性的に挟持している状態の一例を示したものである。本例の場合、（ｂ）に示すように、開口内に差し込まれるリストバンドの部分の上下の高さｈ１が、差し込み前の開口の高さｈ２よりも若干長いものとなっているが、ゴム製のキャップ本体の開口が上下に広がることでリストバンドを差し込むことが可能になっている。この結果、差し込まれたリストバンドは、若干広げられた開口の上下に形成されている壁０３１５に押し付けられるようにして、キャップ本体によって弾性的に保持されることとなる。
【００３９】
なお、本図の例では、開口の幅はリストバンドの主面の幅より長いため、開口の左右両側壁はリストバンドに接することなく、リストバンドは、上下の壁だけで挟持される形になっている。しかし、リストバンドと壁の両者がゴム製であることから、接するゴム同士に摩擦力が生じ、上下・左右のいずれか一方の壁で挟持するだけであっても、差し込まれたリストバンドがずれたり脱落したりするおそれが少ないという効果が得られる。
【００４０】
さらに、本図の例のように、開口の寸法より若干大きい寸法のリストバンドを差し込む場合には、差し込まれたリストバンドが挟持される側の壁にぴったりと押し付けられる形になるため、より大きな摩擦力が生じ、差し込まれたリストバンドがずれたり脱落したりするおそれをより一層減らすことができる（図４を用いて説明する次例についても同様である）。なお、この摩擦力をより大きくするため、開口内の壁の表面に凹凸を設けるなどして壁の表面をより粗いものにしてもよい。
【００４１】
図４も、キャップ本体がリストバンドを弾性的に挟持する構成について説明する図であるが、本図（ａ）に示したものは、図３（ａ）とは異なり、キャップ本体０４１１が、自身の開口０４１３に差し込まれたリストバンド０４３０の幅方向を弾性的に挟持している状態の一例を示したものである。本図の例の場合も、（ｂ）に示すように、開口内に差し込まれるリストバンドの部分の主面の幅ｈ３が、差し込み前の開口の高さｈ２よりも若干長いものとなっているが、開口が上下に広がることでリストバンドを差し込むことが可能になっている。この結果、差し込まれたリストバンドは、若干広げられた開口の上下両壁０４１５に押し付けられるようにして、キャップ本体によって幅方向に挟持される形で弾性的に保持されることとなる。
【００４２】
図５は、キャップ本体の開口にリストバンドが差し込まれた状態の別の一例を示す図であって、リストバンドが複数本差し込まれた状態を示すものである。このうち、（ａ）は、キャップ本体０５１０が複数のリストバンド０５３０のそれぞれの円周方向を弾性的に挟持している状態を示すもの、（ｂ）は、キャップ本体０５１０が複数のリストバンド０５３０のそれぞれの幅方向を弾性的に挟持している状態を示すものである。
【００４３】
以上に見たように、本考案に係るバンドキャップは、リストバンドを弾性的に保持することができるため、従来のバンドキャップにおける挿入部のような特別な係止手段を設けることなく、単に開口に差し込むだけでリストバンドを脱落させることなくほぼぴったりとした状態で保持することができる。また、弾性素材のキャップ本体の開口が広げてリストバンドを挿入することができるため、リストバンドの寸法が開口より多少大きくても、これを差し込んで保持することができる。さらに、キャップ本体がこのような柔軟な構造であることを反映して、リストバンドの幅の寸法と輪っかをつぶした状態の高さの寸法が多少異なっていても、リストバンドを円周方向・幅方向のいずれの方向についてもこれを差し込むことができ、かつ、どちらについてもほぼぴったりとした状態で保持すること保持することが可能となる。
【００４４】
（挿通穴）
挿通穴は、リストバンドにキャップ本体自身をぶら下げるための紐を挿通するための穴である。例えば前出の図２に示したように、挿通穴０２１２は、側壁０２１４のそれぞれに当該側壁を貫通する穴として設けられる。したがって、挿通穴を設ける意義は、第一には、リストバンドとキャップ本体が紐を介して一方が他方にぶら下げられる場合に、その紐を挿通するための穴として利用されることにある。
【００４５】
ただし、リストバンドをキャップ本体の開口に差し込んで挟持する場合でも、挿通穴を設ける意義が存在するところ、それは次のようなものである。
【００４６】
まず、すでに述べたように、キャップ本体の開口に差し込まれたリストバンドは、単に差し込むだけでも脱落しにくい構造になっているとはいえ、リストバンドの寸法が開口の寸法に比べて極めて小さい場合など、脱落のおそれが皆無というわけではない。この場合、リストバンドとキャップ本体を紐でつないでおくことで、万一リストバンドがキャップ本体から脱落した場合でも、リストバンドが落下したり紛失したりするおそれをなくすことができる。挿入穴はこの紐でつなぐために必須の構成として設けられるものである。
【００４７】
さらに、挿通穴は、リストバンドとキャップ本体を紐でつなぎ、リストバンドをキャップ本体にぶら下げた状態、あるいはリストバンドをキャップ本体に差し込んだ状態にしたうえで、さらにこの紐を介してキャップ本体と外部の突起など（例えばかばんの取っ手など）につないで使用する際に、当該挿通穴を利用して、これらリストバンド、キャップ本体及び外部の突起などを一つの紐で連結することができるという意義も有する。かかる構成については、別の実施例にて後述する。
【００４８】
＜効果＞
本実施例の考案によれば、様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップを提供することが可能となる。
【実施例２】
【００４９】
＜概要＞
本実施例のバンドキャップは、実施例１で述べた構成に加え、キャップ本体が主面を有し、主面にはデザインが施されている点に特徴を有する。
【００５０】
＜構成＞
（全般）
本実施例のバンドキャップの構成は、実施例１のバンドキャップの構成と基本的に共通する。ただし、本実施例のバンドキャップにおいては、キャップ本体が主面を有し、主面にはデザインが施されている。以下に本実施例におけるキャップ本体の特徴的な構成について説明する。その余の構成は実施例１で述べたところと同様である。
【００５１】
（キャップ本体：デザインが施された主面を有する構成）
キャップ本体は、主面を有し、主面にはデザインが施されているところ、ここで「主面」とは、キャップ本体の美感を最も良く表している中心となる面をいう。「デザイン」には、絵画、写真、図形、記号、文字などによる模様を描いたものや彩色を施したものなどが含まれる。
【００５２】
図６は、本実施例のバンドキャップの構成の一例を示す図であり、キャップ本体０６１１が主面０６１６を有し、主面にデザイン０６１７が施されている例を示したものである。なお、本図に現れている主面０６１６と平行な裏側の面（本図には現れていない）にもデザインを施し、表裏両面を主面としてもよい。
【００５３】
キャップ本体にデザインを施した主面を設けることの意義は、キャップ本体を観察する方向が主に一定方向からである使用形態である場合に適した構成を提供できる点にある。特に、前述の第三の使用形態、即ち、バンドキャプをリストバンドに差し込んだ状態で棚や卓上などに置いて飾り、これを見て楽しむという使用態様で用いる場合に、かかる構成が最もその効果を発揮するものとなる。即ち、このような使用形態に用いる場合において、例えば卓上などに置いた状態のバンドキャップに対する主たる観察方向が上方向であれば、図６に示したように、キャップ本体の主面を上向きにした状態で置くことで、常にデザインの施された主面を主に見る形で楽しむことが可能となる。
【００５４】
また、キャップ本体に差し込まれるリストバンドにもデザインが施されている場合には、そのデザインの施されている面の向きがキャップ本体の主面と同じ向きになるようにリストバンドを差し込むことで、主たる観察方向から同時にキャップ本体のデザインとリストバンドのデザインを楽しむことができる。ここで、前実施例で述べたように、本考案にかかるキャップ本体は、リストバンドの幅の寸法と輪っかをつぶした状態の高さの寸法が多少異なっていても、リストバンドを円周方向・幅方向のいずれの方向についてもこれを差し込むことができ、かつ、どちらについてもほぼぴったりとした状態で保持すること保持することが可能な構造となっている。そこで、リストバンドのデザインの施されている面がバンドの表面であっても側面であっても、リストバンドを差し込む向きを変えることでデザインの施されている面の向きをキャップ本体の主面と同じ向きに合わせることができる。
【００５５】
＜効果＞
本実施例の考案によれば、キャップ本体の主面を主たる観察方向に向けて置くことで、常にデザインの施された主面を主に見る形で楽しむことが可能となるため、バンドキャップをリストバンドに差し込んだ状態で棚や卓上などに置いて飾りこれを見て楽しむという使用態様に特に適したバンドキャップを提供することが可能となる。
【実施例３】
【００５６】
＜概要＞
本実施例のバンドキャップは、実施例２で述べた構成に加え、キャップ本体は主面に略直交する側面を有し、主面又は側面を底部として平面上に置くことが可能な形状である点に特徴を有する。
【００５７】
＜構成＞
（全般）
本実施例のバンドキャップの構成は、実施例２のバンドキャップの構成と基本的に共通する。ただし、本実施例のバンドキャップにおいては、キャップ本体は主面に略直交する側面を有しており、当該バンドキャップが主面又は側面を底部として平面上に置くことが可能な形状を有している。以下に本実施例におけるキャップ本体の特徴的な構成について説明する。その余の構成は実施例１、２で述べたところと同様である。
【００５８】
（キャップ本体：主面に略直交する側面を有する構成）
キャップ本体は、側面を有しているところ、ここで「側面」は、主面に略直交する面である。また「略直交」とは、側面が主面に対して交わる角度がほぼ直角であることをいい、その角度の範囲は、例えば、８５度以上９５度未満である。そして、本実施例のバンドキャップは、主面又は側面を底部として平面上に置くことが可能な形状を有している。
【００５９】
図７は、本実施例のバンドキャップの構成の一例を示す図であって、前出の図６に示したものと同様の形状、デザインを有するバンドキャップの例を用いて示したものである。本図（ａ）に示すバンドキャップ０７１０のキャップ本体０７１１は、主面０７１６及びこれと略直交する側面０７１８を有している。なお、キャップ本体は上記の主面０７１６を表面としてこれと平行な裏面（図示されない）である主面も有している。即ち、本図の例では主面は表裏両面に設けられている。また、側面は、本図の例では、角の丸い略二等辺三角形の斜辺に対応する二つの側面部分のそれぞれに略平面部分を含む一つの曲面形状をなしているが、本図の例と異なり、例えば主面が角のある三角形状であるのに対応して側面が三つの平面に分かれている（即ち、側面が複数備えられている）ものであってもよい。
【００６０】
当該バンドキャップは、主面又は側面を底部として平面上に置くことが可能な形状を有しており、本図（ａ）では、主面（二面あるうちの一つの面）を底部として平面上に置いた状態を示している。この結果、もう一方の主面は上面に現れることとなる。また、本図（ｂ）では、（ａ）に示したものと同様のバンドキャップを、一つの側面を底部として平面上に置いた状態を示している。
【００６１】
「平面上に置くことが可能」とは、静置することが可能であるという意味であり、したがって、底部となる面が完全な平面であることまでは要せず、緩やかな曲面であっても静置することが可能な程度に平面に近いものであれば足りる。本図の例でも、側面はこのような緩やかな曲面の例である。
【００６２】
本実施例のバンドキャップが主面又は側面を底部として平面上に置くことが可能な形状を有していることの意義は以下のとおりである。
【００６３】
即ち、本実施例のバンドキャップは、一方の主面を底部として平面上に置くことができる形状を有していることで、バンドキャップのキャップ本体の表裏両面に主面が設けられている場合に、一方の主面を底部として置くことで、もう一方の主面を上向きにした状態で卓上などに置くことができる。卓上に置いたバンドキャップは、主に上から見ることが多いと考えられるため、このような構成により、本実施例の考案は、リストバンドを差し込んだ状態で卓上に置いて見て楽しむという使用態様に適したバンドキャップを提供することができる。
【００６４】
また、本実施例のバンドキャップは、一つの側面を底部として平面上に置くことができる形状を有していることで、これに略直交する主面を手前側の横向きにした状態で棚などに置くことができる。この場合、棚の上に置いたバンドキャップは、主に手前側の横方向から見ることが多いと考えられるため、このような構成により、本実施例の考案は、リストバンドを差し込んだ状態で棚の上に置いて見て楽しむという使用態様に適したバンドキャップを提供することができる。表裏両面に主面が設けられている場合には、手前側に向ける主面を定期的に置き換えることで、異なるデザインを交互に楽しむことができる。あるいは、例えば背後に壁がなく両方向から見通せる棚に置く場合には、両方の主面を置き換えることなしに異なるデザインを交互に見て楽しむこともできる。
【００６５】
なお、このような使用態様で用いることが可能に構成されることから明らかなように、主面に略直交する面のうち、開口を有する面は、通例リストバンドが差し込まれた状態であると考えられることから、この面を底部として置くことは想定されていない。したがって、開口を有する面は本実施例にいう側面には含まれていなくてもよい。換言すれば、本実施例にいう側面は、主面に略直交するすべての面を意味するものである必要はなく、主面に略直交する面の一部がこれを底部として置くことができるようになっていれば足りる。
【００６６】
以上のように、本実施例のバンドキャップによれば、キャップ本体の主面の主たる観察方向が様々な方向である場合に対応して、常にデザインの施された主面を主に見る形で楽しむことが可能となるため、バンドキャップをリストバンドに差し込んだ状態で棚や卓上などに置いて飾りこれを見て楽しむという使用態様に特に適したバンドキャップを提供することが可能となる。
【実施例４】
【００６７】
＜概要＞
本実施例は、実施例１〜３で述べた構成を有するバンドキャップに加えて、リストバンドと紐も構成要素としたリストバンドシステムを提供するものである。
【００６８】
＜構成＞
（全般）
図８に本実施例のリストバンドシステムの構成の一例を示す。本図に示すように、本実施例のリストバンドシステム０８００は、リストバンド０８３０と、紐０８２０と、バンドキャップ０８１０とからなる。
【００６９】
（リストバンド）
リストバンドは、所定幅を有し、そこにデザインが施されたゴム製のものである。これは、実施例１〜３で述べたバンドキャップとともに使用されることが想定されていたリストバンドと同様の構成を有するものである。ここで「所定幅を有する」とは、リストバンドがほぼ一定の幅を有する略平行の帯状の形状を有するものであることを意味する。幅の寸法に絶対的な数値での限定はないが、実施例１で述べたところから明らかなように、バンドキャップのキャップ本体の開口の寸法との相対的な関係において、リストバンドの幅や輪っか状にしてつぶした状態のときの厚みの寸法がバンドキャップのキャップ本体の開口の寸法を若干上回る程度以内に収まるような幅、厚みであることが望ましく、その具体的な寸法の一例は、実施例１で述べたとおりである。また、リストバンドの素材であるゴムについては、実施例１でキャップ本体の素材であるゴムについて述べたところと同様である。
【００７０】
（紐）
紐は、リストバンドにキャップ本体をぶら下げる、あるいはキャップ本体にリストバンドをぶら下げるためのものである。本図に示されている紐は、開口内に導入され、二つの挿通穴から外側に導かれた部分どうしが連結された全体として環状をなす一本の紐である。紐をリストバンドの輪っか内に通した状態で連結し、あるいは挿通穴から外側に導かれた状態で連結できるためには、紐を留め具などで連結可能に構成すればよい。また、リストバンド側の紐が引かれて挿通穴から外側に導かれた部分の環状部分が広がり、突起等に係止できるように構成されている場合に、リストバンドとキャップ本体と外部の突起等をつなぐために用いられる場合もあるが、このような構成については後述する。
【００７１】
（バンドキャップ）
バンドキャップの構成は、実施例１〜３で説明したとおりである。したがって、本実施例のリストバンドシステムを構成するバンドキャップには、キャップ本体が主面を有し、主面にはデザインが施されているものや、さらにキャップ本体が主面に略直交する側面を有し、主面又は側面を底部として平面上に置くことが可能な形状であるものが含まれる。
【００７２】
＜効果＞
本実施例の考案によれば、様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップを含むリストバンドシステムを提供することが可能となる。
【実施例５】
【００７３】
＜概要＞
本実施例は、実施例４で述べた構成に加えて、挿通穴がキャップ本体に二つ設けられており、紐が当該二つの挿通穴から開口内側に導かれた部分で環状をなしてリストバンドの輪の内側をとおり、挿通穴から外側に導かれた部分で環状をなして、この部分を引っ張ることにより、リストバンド側の紐が引かれて挿通穴から外側に導かれた部分の環状部分が広がり、突起等に係止できるという構成をさらに有するリストバンドシステムを提供するものである。
【００７４】
＜構成＞
（全般）
本実施例のリストバンドシステムは、基本的に実施例４で述べたリストバンドシステムの構成と共通する。ただし、本実施例のリストバンドシステムは、以上の構成に加え、挿通穴がキャップ本体に二つ設けられており、紐が当該二つの挿通穴から開口内側に導かれた部分で環状をなしてリストバンドの輪の内側をとおり、挿通穴から外側に導かれた部分で環状をなして、この部分を引っ張ることにより、リストバンド側の紐が引かれて挿通穴から外側に導かれた部分の環状部分が広がり、突起等に係止できるという構成をさらに有する。
【００７５】
前出の図８もかかる構成を有するリストバンドを示したものである。即ち、本図において、挿通穴がキャップ本体に二つ設けられており、また、紐が当該二つの挿通穴から開口内側に導かれた部分で環状をなしてリストバンドの輪の内側をとおっている状態が示されている。
【００７６】
また、本図において、紐は、挿通穴から外側に導かれた部分でも環状をなしている。そこで、この部分を矢印Ａ方向に引っ張ることにより、リストバンド側の紐が同方向に引かれて挿通穴から外側に導かれた部分の環状部分が広がり、図示されない突起等（例えば、かばんの取っ手など）に係止することが可能となる。この係止状態において、リストバンドはキャップ本体の開口内に差し込まれた状態になっていてもよい。
【００７７】
＜効果＞
本実施例の考案によれば、特にバンドキャップを例えばカバンの取っ手などに紐などを介して取り付けるとともに、当該バンドキャップにリストバンドをぶら下げて、あるいは当該バンドキャップのキャップ本体の開口にリストバンドを差し込んで使用するという使用態様に特に適したリストバンドシステムを提供することが可能となる。
【実施例６】
【００７８】
＜概要＞
本実施例は、実施例４、５で述べたリストバンドシステムを構成する紐とバンドキャップの組合せ構造体を提供するものである。
【００７９】
＜構成＞
【００８０】
本実施例の紐とバンドキャップの組合せ構造体は、実施例４、５で述べたリストバンドシステムの構成要素のうち、紐とバンドキャップとで構成される組合せ構造体であり、紐、バンドキャップそれぞれの構成は、以上の実施例において述べたところと同様である。
【００８１】
＜効果＞
本実施例の考案によれば、様々な使用態様に対応して、リストバンドを挿入空間に差し込んだ際に、リストバンドの本数や向きが変化しても、常にほぼぴったりとした状態で保持することで、脱落しにくく、また見栄えの良い状態で保持することができるように、柔軟な構造を有し、リストバンドを弾性的に保持できる構造を有するバンドキャップを含み、これと紐とで構成される組合せ構造体を提供することが可能となる。
【図１】
0003216488.tif 000003
【図２】
0003216488.tif 000004
【図３】
0003216488.tif 000005
【図４】
0003216488.tif 000006
【図５】
0003216488.tif 000007
【図６】
0003216488.tif 000008
【図７】
0003216488.tif 000009
【図８】
0003216488.tif 000010